(57)【要約】      （修正有）【課題】弾性金属線の復元性を利用して、コンパクトに折り畳む事ができ、更に帽子の鍔円径を増減可能に成し、日常にても使用を可能とした多用途帽子を提供する。【解決手段】内側に頭入れ部１を設けた帽子鍔２の外周に袋状部３を設け、一本の弾性線を円形状に曲げ、弾性線の両末端を夫々、別々のワイヤーガイドに貫通させた後、他方のワイヤーガイドに固着させた伸縮環を該袋状部内に収納する。【選択図】図１
2010116658.tif 000002
【特許請求の範囲】
【請求項１】
内側に頭入れ部を設けた帽子鍔の外周に袋状部を設け、一本の弾性線を円形状に曲げ、弾性線の両末端を夫々、別々のワイヤーガイドに貫通させた後、他方のワイヤーガイドに固着させた伸縮環を該袋状部内に収納してなることを特徴とする折り畳み帽子。
【請求項２】
伸縮環の大きさを任意の位置で固定できるように、ワイヤーガイドに留め具を設けたことを特徴とする請求項１記載の折り畳み帽子。
【請求項３】
顎紐の両端が、帽子鍔の対向する箇所に取り付けられていることを特徴とする請求項１または請求項２記載の折り畳み帽子
【請求項４】
顎紐の中央部に保護具を設けたことを特徴とする請求項３記載の折り畳み帽子
【請求項５】
帽子鍔の前部に遮蔽幕を設け、不使用時には、鍔の内側への収納手段を有することを特徴とする請求項１から請求項４記載の折り畳み帽子
【請求項６】
折り畳み帽子の収納袋を頭入れ部に収納した際に、収納袋を頭入れ部に連結できる手段を有することを特徴とする請求項１から請求項５記載の折り畳み帽子
【発明の詳細な説明】
【技術分野】
【０００１】  本発明は弾性金属線の復元性を利用して、コンパクトに折り畳む事のできる、日除け雨避け用を主眼とした帽子であるが、更に帽子の鍔円径を増減可能に成し日常にても使用を可能とした多用途帽子に関するものである。
【背景技術】
【０００２】  現今社会には多種多様な帽子が存在して居り、雨避け用の帽子として折り畳み可能なものは、古くより実用化されて居た。
帽子の鍔端に弾性の金属線を入れ、その復元力を利用した折り畳み帽子の特許、実用新案の文献は数々見受けられるが、実際化された商品は市場にて見受けられない。
雨避け日除け用の帽子であって、鍔の直径を縮小する事により平常時の帽子としても使用可能な、多用途の帽子は、特許文献にも市場にも、まだ見受けられない。【０００３】
【特許文献】  特許公開平９−４１２１２  特許公開２００１−３０３３５１  特許公開２００２−６９７３６  特許公開２００７−１０７１６６  登録実用新案第３０１７９３６号
【発明の開示瀬】
【発明が解決しようとする課題】
【０００４】  雨避け用の帽子は鍔の大なるものが良いが、大形の雨避け  帽子は雨が止めば着用し難い無用の長物となる、又日除け帽子も、日陰、人込みの中にては、着用し難いものである、このような状況の変化の場合においても着用を続行し得る帽子が有れば至極便利である、更にコンパクトに折り畳みできれば、収容に便利になり使い便利になる。
又、朝夕の低い太陽に向う場合において、太陽光のまぶしさを防ぐ対策が成され、且つ大形帽子なるため強風による飛び防止対策も必要である、このような機能的な帽子が現今市場にて要求される。
的な帽子を現市場は待望している。
【課題を解決するための手段】
【０００５】  本発明は上記問題点を解決するために成されたものであって、日除け雨避け用帽子の鍔の大きな帽子を平常時用の帽子に縮小可能にするものである、この縮小の手段として帽子鍔の円周を短縮して鍔円形を小形化する。
帽子鍔の形状を縮小して、日常にも使用できる普通帽子に形状を変化させる、この鍔円周長を短縮する構成手段として、鍔の円周端部を袋状に成し、その袋状内に弾性の金属線を挿入する、この金属線の円周長さは固定されたものでなく、簡単、容易に伸縮可能構造に成し、鍔の円周長を加減する、即ち鍔の円寸法を晴雨用と日常用の目的に適合したものに変更する。
鍔の布素材を、伸縮可能に縫製することにより、鍔の円変化に対応させる、この帽子は弾性金属線の拡張しょうとする性質を利用したものである。
弾性金属線の素材として鋼鉄線が廉価であるが、ステンレス線、燐青銅線、等の線財が適用可能である。
本発明は弾性金属線の復元性を利用したるものなるため、金属線を８字状にすれば小さく折り畳むことが可能であり、収納に便利な使い易い多用途帽子にする。
朝夕の太陽の低い場合において、太陽光のまぶしさを防止するため、帽子鍔の前方端部に遮蔽幕を設ける、この遮蔽幕の垂れ寸法は３０ｍｍ乃至１５０ｍｍが適寸である、この遮蔽幕は揚げ降し可能に成し、必要時のみ降し使用する、揚げた場合の保持は、ホック、ボタン、又は止め外し自在の接着部材や  広幅のゴムひも又は面ファスナー等でもよい。
本発明の帽子は日除け雨避け用なるため鍔が大形である、そのため風にて飛ぶ恐れがある、それを防止するため鍔の左右に顎かけ紐を設ける、顎に紐が食い込む事を防止するため、紐に顎当てを設け、顎皮膚の痛みを防止する、この顎当て素材は、柔らかな素材にて作られた物であって、スポンジ、綿、等を内部に入れたものである。
【発明の効果】
【０００６】  本発明は次の効果を奏する、従来の雨避け帽子、及び日除け帽子は、その用途に限定されているが、本発明の帽子は雨避け日除けを主目的とした帽子である、だが鍔の円が縮小できるため日常の普通帽子に変更可能な便利な帽子である、このため天候の変化に対して対応でき、又人込みの中にても着用できる多用途の便利な帽子である。
本発明帽子は朝夕の太陽の低い場合において、太陽光の遮蔽を可能に成したるため一層快適に使用できる、又強風時の着帽を保持するための顎かけ紐にも着帽者の顎皮膚を保護する対策が成されて居利万事に配慮された帽子である。
本発明の帽子はコンパクトに折り畳む事が可能である、そのため不使用の場合にても携帯に便利ある。
【実施例】
【０００７】  本発明は柔軟な素材にて作られた折り畳み方式の日除け雨避け用帽子を日常用帽子に変更することを可能とした帽子の発明であって、以下図面に基づき詳細に説明する［図１］は本発明の折り畳み帽子を着用可能な状態に成したる場合の斜視図であって、１は頭入れ部である２は帽子鍔である、頭入れ部１及び帽子鍔２は従来より一般にて使用されて居る普通帽子と同じものであるが、本発明の場合は帽子鍔２の全円周端部に袋状部３が設けられて居る、本発明の帽子鍔２は日除け雨避けを主目的としたものなるため、円は大形に作製されて居る。【０００８】  ［図２］は本発明の折り畳み帽子の帽子鍔２に設けられた袋状部３の中に挿入される弾性質の金属線で作られた拡張環４の斜視図である、この拡張環４の弾性による拡張力にて本発明の帽子は形体を保持するものである。
拡張環４は細い金属線であるため、８字状に成せばコンバクトに折り畳むことができ、携帯に便利である、以上の構成は、従来より同じ物が数々特許出願され公知技術になっているものである。
従来の弾性金属線を利用した折り畳み帽子は、全て金属線の環が固定、一定されたものであった、そのため使用目的も一定にされたが、本発明の拡張環４は一本の金属線、即ちワイヤーを丸めたものであって端部は連結されていない。
本発明の拡張環４の線端部にはワイヤーガイドＡ５及びワイヤーガイドＢ６が設けられており、このものにて拡張環４の円周が増減でき、帽子鍔２の円周を変更することができる。
帽子鍔２の円径を縮小すれば、雨避け日除け帽子を普通帽子に変更できる、その変更にて天候の変化に対処でき至極便利重宝な帽子である。【０００９】  ［図３］は本発明の折り畳み帽子の帽子鍔２の端部に設けられた袋状部３の中に挿入される拡張環４に取り付けられたワイヤーガイドＡ５及びワイヤーガイドＢ６の作用説明図であって、ワイヤーガイドＡ５は拡張環４の一端であるワイヤーＢ部８の末端に取り付けられた管状のものであって単なるワイヤーのガイドを成すものである，ワイヤーガイドＢ６は拡張環４の他端であるワイヤーＡ部７の末端に取り付けられた管状のものであるが、このものの内部には、挿入されたるワイヤーＢ部８を止め着けるためのワイヤー止め具９が設けられており、このワイヤー止め具９により拡張環４の円形は自由に加減ができる、ワイヤー止め具９はワイヤーＢ部８の滑り動きを停止させ拡張環４が作る円形を保持するものである、ワイヤーガイドＡ５とワイヤーガイドＢ６が接近すれば拡張環４の円は大になる、この調整により帽子鍔２の円形を調整可能にしたる事が本発明の特徴である、この帽子鍔２の円が自由に変更可能とするため、帽子鍔２を伸縮性に作る事が必要である。
ワイヤー止め具９は、一般市場に存在する各種の止め具の中にて好適なものを利用する【００１０】  ［図４］は本発明の折り畳み帽子の前部に遮蔽幕を設けた場合を示す断面図であって、１は頭入れ部である、２は帽子鍔であって、この帽子鍔２の前面部の鍔端には太陽光を遮ぎるための遮蔽幕１０が取り付けられて居る、この遮蔽幕１０の垂れ長さは、３０ｍｍ乃至１５０ｍｍであり、横長さは、４００ｍｍ乃至７００ｍｍの薄き帯状布を用い、この遮蔽幕１０にて朝夕の低い位置よりの太陽光を遮蔽する。
この遮蔽幕１０の下部には両面ファスナーＡ１１が縫着されて居り、帽子鍔２の下面には両面ファスナーＢ１２が縫着されて居る、両面ファスナーとはマジックテープの商品名にて市場にて広く普及して居る接合、離脱の容易な接合具である。
遮蔽幕１０が不要の場合は下端を上方に揚げ両面ファスナーＡ１１を両面ヌァスナーＢ１２に接合させる、垂らす場合は、この接合を引き離す、この場合の着脱用の接合具は、可能な機能のものなればどのような接合部品を使用しても良いことは勿論である。【００１１】  ［図５］は本発明の折り畳み帽子に顎かけ用の紐を取り付けた場合の説明図であって、１は頭入れ部、２は帽子鍔である、本発明の折り畳み帽子は帽子鍔２が大形である、そのため風にて吹き飛ぶ恐れがある、そこで帽子鍔２の左右の両端の各々に顎かけ紐１３を取り付ける、この二本の顎かけ紐１３の下部は顎紐締め具１５に挿し入れられており、この顎紐締め具１５を移動させることにより顎かけ紐１３の締め加減を調節する。
顎かけ紐１３は細い紐である、そのため顎に食い込み痛みを発生させる、そこで対策として内部に綿、スポンジ、等を入れた保護具１４を顎かけ紐１３に設け、着帽者の顎を保護する
本発明はこのような実施例に何等限定されるものでなく、発明の要旨を逸脱しない範囲において種々なる態様にて実施し得ることは勿論である。
【産業上利用の可能性】
【００１２】  本発明は日除け雨避け用の折り畳み式の帽子であるが、鍔の円径を縮小可能にして、日常にても着用できる便利な多用途帽子になるものである。
このような用途可変帽子は、例が無く、奇抜性と便利性を備えた優れた帽子として、商品化が大きく期待されている。
【図面の簡単な説明】
【００１３】
【図１】は本発明の折り畳み帽子を日除け雨避け用に開きたる場合の斜視図である。
【図２】は本発明の折り畳み帽子の帽子鍔の鍔端部に設けられた袋状部の中に挿入される、拡張環の斜視図である。
【図３】は本発明の折り畳み帽子の帽子鍔の鍔端部に設けられた袋状部の中に挿入される拡張環に取り付けられたるワイヤーガイドの作用説明図である。
【図４】は本発明の折り畳み帽子の前部に遮蔽幕を取り付けた場合を示す断面図である。
【図５】は本発明の折り畳み帽子に顎かけ紐を取り付けた場合の説明図である。
【図６】は  連結具に  収納袋をつないだ状態の説明図である。
【図７】は  折り畳み帽子の頭入れ部に  収納袋を入れた説明図である。
【図８】は  頭入れ部より収納袋を取り出して  折り畳み帽子を入れた状態の説明図である。
【符号の説明】
【００１４】１  頭入れ部
２  帽子鍔
３  袋状部
４  拡張環
５  ワイヤーガイドＡ
６  ワイヤーガイドＢ
７  ワイヤーＡ部
８  ワイヤーＢ部
９  ワイヤー止め具
１０  遮蔽幕
１１  両面ファスナーＡ
１２１  両面ファスナーＢ
１３  顎かけ紐
１４  保護具
１５  顎紐締め具
Ｘ１  連結具のオス
Ｘ２  連結具のメス
Ｗ  収納袋
Ｙ  ゴムひも（紐）
【図１】
2010116658.tif 000003
【図２】
2010116658.tif 000004
【図３】
2010116658.tif 000005
【図４】
2010116658.tif 000006
【図５】
2010116658.tif 000007
【図６】
2010116658.tif 000008
【図７】
2010116658.tif 000009
【図８】
2010116658.tif 000010